(57)【要約】【課題】モジュールと機器本体とを電気的に接続するためのコネクターを適正に結合させることのできるコネクター付き電子機器、および電気光学モジュールを提供すること。【解決手段】モジュール側および機器本体側のうちの一方側では、コネクター部品支持部４０によって、コネクター部品８１が実装された配線基板７０が固定体３０に対してコネクターの結合方向に変位可能に支持されている。従って、コネクター位置調整用のねじ５１を締め込むと、コネクター部品支持部４０が変形するので、結合方向におけるコネクター部品８１の位置を調整することができる。【選択図】図４
2011216809.tif 000002
【特許請求の範囲】
【請求項１】
モジュールと機器本体とがコネクターを介して電気的に接続された電子機器であって、
前記モジュール側および前記機器本体側のうちの一方側は、
固定体と、
前記コネクターを構成するコネクター部品が前記固定体に対して前記コネクターの結合
方向に変位可能に支持された状態とするコネクター部品支持部と、
前記コネクター部品支持部を変形させて前記結合方向における前記コネクター部品の位
置を調整するコネクター位置調整部材と、
を有していることを特徴とするコネクター付き電子機器。
【請求項２】
前記コネクター位置調整部材は、前記コネクター部品支持部を押さえつけるねじ頭をも
って前記固定体に螺着されたねじであることを特徴とする請求項１に記載のコネクター付
き電子機器。
【請求項３】
前記コネクター部品支持部は、前記固定体から前記コネクター部品に向けて突出する側
板部と、該側板部の先端部で折れ曲がって前記コネクター部品を支持する支持板部と、を
備え、
前記側板部は、複数の屈曲部分からなる変形自在部を備えていることを特徴とする請求
項１または２に記載のコネクター付き電子機器。
【請求項４】
前記コネクター部品は、剛性基板に実装されており、
前記コネクター部品支持部は、前記固定体と前記剛性基板との間に介在して前記コネク
ター部品が前記固定体に対して変位可能に支持された状態としていることを特徴とする請
求項１乃至３の何れか一項に記載のコネクター付き電子機器。
【請求項５】
前記固定体は、該固定体において前記剛性基板と対向する部分から当該剛性基板に向け
て突出して前記固定体と前記コネクター部品との離間距離の下限を規定する基板受け部を
備えていることを特徴とする請求項４に記載のコネクター付き電子機器。
【請求項６】
前記剛性基板を前記固定体が位置する側とは反対側で覆うカバーを備え、
当該カバーは、前記コネクター部品および前記コネクター位置調整部材を露出させる開
口部を備えていることを特徴とする請求項４または５に記載のコネクター付き電子機器。
【請求項７】
前記モジュールは、電気光学パネルおよび該電気光学パネルを保持するフレームを備え
た電気光学モジュールであって、
前記固定体は、前記フレームであることを特徴とする請求項１乃至６の何れか一項に記
載のコネクター付き電子機器。
【請求項８】
電気光学パネルと、該電気光学パネルを保持するフレームと、該フレームに搭載された
コネクター部品と、を備えた電気光学モジュールであって、
前記コネクター部品が前記フレームに対して当該コネクター部品の結合方向に変位可能
に支持された状態とするコネクター部品支持部と、
前記コネクター部品支持部を変形させて前記結合方向における前記コネクター部品の位
置を調整するコネクター位置調整部材と、
を有していることを特徴とする電気光学モジュール。
【発明の詳細な説明】
【技術分野】
【０００１】
本発明は、モジュールと機器本体とがコネクターを介して電気的に接続されたコネクタ
ー付き電子機器、および当該コネクター付き電子機器に用いられる電気光学モジュールに
関するものである。
【背景技術】
【０００２】
電気光学モジュール等のモジュールを機器本体に搭載して電子機器を構成するにあたっ
ては、モジュールと機器本体とがコネクターを介して電気的に接続された構造が採用され
ることが多い（特許文献１）。
【先行技術文献】
【特許文献】
【０００３】
【特許文献１】特開平１１−３２６９３７号公報
【発明の概要】
【発明が解決しようとする課題】
【０００４】
しかしながら、モジュールと機器本体とをコネクターを介して電気的に接続する際、モ
ジュール側および機器本体側の各々において、コネクターを構成するコネクター部品が固
定されている。このため、モジュールと機器本体とをボス等のガイド部で位置決めしてか
ら、コネクターの結合を行おうとすると、コネクターでの結合が浅すぎる状態や深すぎる
状態が発生し、コネクターを適正に結合させることができないという問題点がある。
【０００５】
以上の問題点に鑑みて、本発明の課題は、モジュールと機器本体とを電気的に接続する
ためのコネクターを適正に結合させることのできるコネクター付き電子機器、および当該
コネクター付き電子機器に用いられる電気光学モジュールを提供することにある。
【課題を解決するための手段】
【０００６】
上記問題を解決するために、本発明は、モジュールと機器本体とがコネクターを介して
電気的に接続された電子機器であって、前記モジュール側および前記機器本体側のうちの
一方側は、固定体と、前記コネクターを構成するコネクター部品が前記固定体に対して前
記コネクターの結合方向に変位可能に支持された状態とするコネクター部品支持部と、前
記コネクター部品支持部を変形させて前記結合方向における前記コネクター部品の位置を
調整するコネクター位置調整部材と、を有していることを特徴とする。
【０００７】
本発明において、モジュール側および機器本体側のうちの一方側では、コネクター部品
支持部によって、コネクター部品が固定体に対してコネクターの結合方向に変位可能に支
持された状態にある。従って、コネクター位置調整部材によって、コネクター部品支持部
を変形させてコネクター部品を変位させれば、結合方向におけるコネクター部品の位置を
調整することができる。従って、モジュールと機器本体との相対位置が他の機構によって
規定されている場合でも、コネクターを適正に結合させることができる。
【０００８】
本発明において、前記コネクター位置調整部材は、前記コネクター部品支持部に押さえ
つけるねじ頭をもって前記固定体に螺着されたねじであることが好ましい。このように構
成すると、ねじの締め具合を調節するだけで、コネクター部品支持部を変形させてコネク
ター部品を変位させ、結合方向におけるコネクター部品の位置を調整することができる。
【０００９】
本発明において、前記コネクター部品支持部は、前記固定体から前記コネクター部品に
向けて突出する側板部と、該側板部の先端部で折れ曲がって前記コネクター部品を支持す
る支持板部と、を備え、前記側板部は、複数の屈曲部分からなる変形自在部を備えている
構成を採用することができる。かかる構成によれば、コネクター部品支持部は、コネクタ
ー部品が固定体に対してコネクターの結合方向に変位可能に支持された状態を確実に実現
することができる。
【００１０】
本発明において、前記コネクター部品は、剛性基板に実装されており、前記コネクター
部品支持部は、前記固定体と前記剛性基板との間に介在して前記コネクター部品が前記固
定体に対して変位可能に支持された状態としている構成を採用することができる。
【００１１】
本発明において、前記固定体は、該固定体において前記剛性基板と対向する部分から当
該剛性基板に向けて突出して前記固定体と前記コネクター部品との離間距離の下限を規定
する基板受け部を備えていることが好ましい。このように構成すれば、コネクター部品支
持部を過度に変形させてしまうことを回避することができる。
【００１２】
本発明において、前記剛性基板を前記固定体が位置する側とは反対側で覆うカバーを備
え、当該カバーは、前記コネクター部品および前記コネクター位置調整部材を露出させる
開口部を備えていることが好ましい。このように構成すれば、カバーを取り付けた後であ
っても、コネクターの結合およびコネクター部品の位置調整を行うことができる。
【００１３】
本発明において、前記モジュールは、例えば、電気光学パネルおよび該電気光学パネル
を保持するフレームを備えた電気光学モジュールであって、前記固定体は、前記フレーム
である構成を採用することができる。すなわち、本発明は、電気光学パネルと、該電気光
学パネルを保持するフレームと、該フレームに搭載されたコネクター部品と、を備えた電
気光学モジュールであって、前記コネクター部品が前記フレームに対して当該コネクター
部品の結合方向に変位可能に支持された状態とするコネクター部品支持部と、前記コネク
ター部品支持部を変形させて前記コネクター部品と前記フレームとの離間距離を調整する
コネクター位置調整部材と、を有していることを特徴とする。
【図面の簡単な説明】
【００１４】
【図１】本発明を適用したコネクター付き電子機器および電気光学モジュールの説明図である。
【図２】本発明を適用したコネクター付き電子機器に用いた電気光学モジュールにおいて、コネクター部品が配置されているフレームの下面側の構成を示す説明図である。
【図３】本発明を適用したコネクター付き電子機器に用いた電気光学モジュールにおいて、コネクター部品が配置されているフレームにカバーを被せた後の様子を示す説明図である。
【図４】本発明を適用したコネクター付き電子機器に用いた電気光学モジュールにおいて、コネクター部品が配置されているフレームの下面側のＡ−Ａ′断面を拡大して示す説明図である。
【図５】本発明を適用したコネクター付き装置を搭載した電子機器の説明図である。
【発明を実施するための形態】
【００１５】
図面を参照して、本発明の実施の形態を説明する。なお、以下の説明で参照する図にお
いては、各層や各部材を図面上で認識可能な程度の大きさとするため、各層や各部材毎に
縮尺を異ならしめてある。
【００１６】
（全体構成）
図１は、本発明を適用したコネクター付き電子機器および電気光学モジュールの説明図
であり、図１（ａ）、（ｂ）はそれらの斜視図および側面図である。
【００１７】
図１に示すコネクター付き電子機器１００は、モジュールとしての電気光学モジュール
１０と、機器本体２０とを備えており、電気光学モジュール１０は、電気光学パネル１１
とフレーム１５とを備えている。電気光学パネル１１としては、液晶パネルや有機エレク
トロルミネッセンスパネル等の表示パネルを用いることができ、本形態において、電気光
学パネル１１は透過型の液晶パネルである。このため、電気光学モジュール１０において
、フレーム１５には、電気光学パネル１１の他、バックライト装置等も収容されている。
ここで、フレーム１５は、電気光学パネル１１を下側から支持する下フレーム１３と、電
気光学パネル１１の上側を覆う上フレーム１２とを備えている。
【００１８】
このように構成した電気光学モジュール１０は、コネクター８０を介して電気的に接続
されている。このため、電気光学モジュール１０は、フレーム１５に固定されたコネクタ
ー部品８１を備え、機器本体２０は、コネクター部品８１と結合してコネクター８０を構
成するコネクター部品８２を備えている。ここで、コネクター８０は、例えばＢｔｏＢ（
Board to Board）コネクターであり、コネクター部品８１は電気光学モジュール１０側の
配線基板（図示せず）に実装され、コネクター部品８２は、機器本体２０側の配線基板（
図示せず）に実装されている。
【００１９】
（電気光学モジュール１０の構成）
図２は、本発明を適用したコネクター付き電子機器１００に用いた電気光学モジュール
１０において、コネクター部品８１が配置されているフレーム１５の下面側の構成を示す
説明図である。また、図２（ａ１）、（ａ２）は、コネクター部品８１、配線基板、カバ
ー等を取り付ける前の様子を示す底面図、およびそのＡ−Ａ′断面図であり、図２（ｂ１
）、（ｂ２）は、コネクター部品８１や配線基板を取り付けた後の様子を示す底面図、お
よびそのＡ−Ａ′断面図である。図３は、本発明を適用したコネクター付き電子機器１０
０に用いた電気光学モジュール１０において、コネクター部品８１が配置されているフレ
ーム１５にカバーを被せた後の様子を示す説明図であり、図３（ａ）、（ｂ）は、カバー
を被せた後の底面図、およびそのＡ−Ａ′断面図である。図４は、本発明を適用したコネ
クター付き電子機器１００に用いた電気光学モジュール１０において、コネクター部品８
１が配置されているフレーム１５の下面側のＡ−Ａ′断面を拡大して示す説明図であり、
図４（ａ）、（ｂ）は、コネクター部品８１の位置を調整する前の様子を示す説明図、お
よびコネクター部品８１の位置を調整した後の様子を示す説明図である。
【００２０】
図２に示すように、本形態のコネクター付き電子機器１００に用いた電気光学モジュー
ル１０において、コネクター部品８１が取り付けられたフレーム１５の下面には、コネク
ター部品８１が固定される金属製の固定体３０が配置され、かかる固定体３０には、３つ
のボス３０１、３０２、３０３が形成されている。かかるボス３０１、３０２、３０３は
、後述するカバー６０の位置を決めるガイドとして機能するとともに、電気光学モジュー
ル１０を機器本体２０に搭載する際に、電気光学モジュール１０と機器本体２０との位置
決めを行うガイドとして機能する。
【００２１】
固定体３０には、コネクター部品８１が実装された剛性の配線基板７０（剛性基板）を
固定するための基板受け部３７、３８、３９が設けられている。かかる基板受け部３７、
３８、３９は概ね、金属板を同一形状に加工してなる。まず、基板受け部３７は、固定体
３０から突出する２枚の側板部３７３、３７４と、側板部３７３、３７４の先端部で折れ
曲がって側板部３７３、３７４の先端部同士を繋ぐ上板部３７１とを備えており、上板部
３７１によって配線基板７０を受けるようになっている。上板部３７１には、後述するね
じ５２（図２（ｂ１）、（ｂ２）、図３（ａ）、（ｂ）および図４を参照）が通される穴
３７８が形成されている。また、固定体３０において、穴３７８と重なる位置には、ねじ
５２が止められる穴３０８（図４（ａ）参照）が形成されている。
【００２２】
同様に、基板受け部３８の上板部３８１には、後述するねじ５９（図３（ａ）、（ｂ）
を参照）が通される穴３８８が形成されており、固定体３０において、穴３８８と重なる
位置には、ねじ５９が止められる穴（図示せず）が形成されている。基板受け部３９の上
板部３９１には、後述するねじ５５（図２（ｂ１）、（ｂ２）を参照）が通される穴３９
８が形成されており、固定体３０において、穴３９８と重なる位置には、ねじ５５が止め
られる穴（図示せず）が形成されている。
【００２３】
図２（ａ１）、（ａ２）および図４（ａ）に示すように、固定板３０には、コネクター
部品８１が実装された剛性の配線基板７０を支持するコネクター部品支持部４０が設けら
れている。かかるコネクター部品支持部４０は、金属板を加工したものを固定体３０に固
着した部品であり、固定体３０から突出する２枚の側板部４２、４３と、側板部３７３、
３７４の先端部で折れ曲がって側板部４２、４３の先端部同士を繋ぐ支持板部４１とを備
えている。かかるコネクター部品支持部４０では、支持板部４１によって配線基板７０を
支持するようになっている。
【００２４】
ここで、支持板部４１には、後述するコネクター位置調整用のねじ５１（コネクター位
置調整部材）が通される穴４８が形成されており、固定体３０において、穴４８と重なる
位置には、ねじ５１が止められる穴３０６（図４（ａ）参照）が形成されている。また、
側板部４２、４３には、複数の屈曲部分からなる変形自在部４２０、４３０が形成されて
いる。また、側板部４２、４３には、抜き穴４２１、４３１が形成されている。このため
、コネクター部品支持部４０は、支持板部４１が固定体３に向けて押圧されると、側板部
４２、４３が屈曲するように変形し、支持板部４１が固定体３に向けて変位する。
【００２５】
図２（ａ１）、（ａ２）および図４（ａ）に示すように、配線基板７０には、基板受け
部３７、３８、３９の上板部３７１、３８１、３９１に形成された穴３７８、３８８、３
９８と重なる位置に穴７７、７８、７９が形成されている。また、配線基板７０には、コ
ネクター部品支持部４０の支持板部４１に形成された穴４８と重なる穴７２が形成されて
いる。従って、配線基板７０の穴７２、７７、７９を通してねじ５１、５２、５５を止め
れば、配線基板７０を固定することができる。より具体的には、図４（ａ）に示すように
、例えば、ねじ５１のねじ頭５１１は配線基板７０に重なり、ねじ５１のねじ軸５１２は
、配線基板７０の穴７２およびコネクター部品支持部４０の穴４８を貫通して固定体３０
の穴３０６に螺着し、配線基板７０を固定する。また、ねじ５２のねじ頭５２１は配線基
板７０に重なり、ねじ５２のねじ軸５２２は、配線基板７０の穴７７および基板受け部３
７の穴３７８を貫通して固定体３０の穴３０８に止まって配線基板７０を固定する。
【００２６】
この状態で、配線基板７０は、コネクター部品支持部４０の支持板部４１に当接する。
但し、配線基板７０と基板受け部３７の上板部３７１との間には隙間ｄ１が空いている。
なお、図示を省略するが、配線基板７０と基板受け部３８、３９の上板部３８１、３９１
との間にも、配線基板７０と基板受け部３７の上板部３７１との間と同様、隙間が空いて
いる。
【００２７】
図３（ａ）、（ｂ）に示すように、固定体３０に対しては、配線基板７０を固定体３０
とは反対側で覆うカバー６０が固定されている。ここで、カバー６０にはボス３０１、３
０２、３０３が嵌る開口部６１１、６１２、６１３が形成されている。また、カバー６０
には、ねじ５９が通される穴６０８が形成されている。このため、カバー６０は、ボス３
０１、３０２、３０３によって位置決めされた状態でねじ５９により固定体３０に固定さ
れる。また、カバー６０には、コネクター８０、ねじ５１、およびねじ５２と重なる位置
に開口部６０１、６０５、６０６が形成されている。このため、固定体３０にカバー６０
を固定した後も、コネクター８０、ねじ５１のねじ頭５１１、ねじ５２のねじ頭５２１は
露出した状態にある。
【００２８】
（コネクター部品８１の位置調整）
以上説明したように、本形態の電気光学モジュール１０では、コネクター部品８１が実
装された剛性の配線基板７０を固定体３０に取り付けた状態で、配線基板７０と基板受け
部３７、３８、３９の上板部３７１、３８１、３９１との間には隙間ｄ１が空いている。
また、コネクター部品支持部４０において、側板部４２、４３は、屈曲部分からなる変形
自在部４２０、４３０、および抜き穴４２１、４３１によって変形自在になっている。
【００２９】
そこで、本形態では、固定体３０のボス３０１、３０２、３０３をガイドにして電気光
学モジュール１０と機器本体２０とを位置決めした際、コネクター部品８１の位置が固定
体３０からみて高すぎる場合には、ねじ５１を締める。ねじ５１のねじ頭５１１は、配線
基板７０を介してコネクター部品支持部４０の支持板部４１を固定体３０に向けて押さえ
つける。その結果、コネクター部品支持部４０において、側板部４２、４３が変形し、支
持板部４１、配線基板７０およびコネクター部品８１は、図４（ｂ）に示す寸法ｄ２分だ
け、固定体３０の方に沈み込むように変位する。従って、コネクター部品８１の固定体３
０からの高さ位置（コネクター部品８１と固定体３０との離間距離／コネクター８０の結
合方向Ｃにおけるコネクター部品８１の位置）を調整することができる。それ故、電気光
学モジュール１０と機器本体２０とが、ボス３０１、３０２、３０３などに位置決めされ
た結果、電気光学モジュール１０側のコネクター部品８１と、機器本体２０側のコネクタ
ー部品８２との位置が適切でない場合でも、コネクター部品８１の位置を最適な位置に調
整することができる。それ故、電気光学モジュール１０側のコネクター部品８１と、機器
本体２０側のコネクター部品８２とを適正に結合させることができる。
【００３０】
（本形態の主な効果）
以上説明したように、本形態のコネクター付き電子機器１００では、電気光学モジュー
ル１０側および機器本体２０側のうち、電気光学モジュール１０の側では、コネクター部
品支持部４０によって、コネクター部品８１が実装された配線基板７０が固定体３０に対
してコネクター８０の結合方向Ｃに変位可能に支持されている。従って、コネクター位置
調整用のねじ５１を締め込むと、コネクター部品支持部４０が変形するので、結合方向Ｃ
におけるコネクター部品８１の位置を調整することができる。
【００３１】
また、ねじ５１をコネクター位置調整部材として用いたため、ねじ５１の締め具合を調
節するだけで、コネクター部品支持部４０を変形させてコネクター部品８１を変位させる
ことができる。それ故、結合方向Ｃにおけるコネクター部品８１の位置を容易に調整する
ことができる。
【００３２】
また、コネクター部品支持部４０は、固定体３０からコネクター部品８１に向けて突出
する側板部４２、４３と、側板部４２、４３の先端部で折れ曲がってコネクター部品８１
を配線基板７０を介して支持する支持板部４１とを備え、側板部４２、４３には、複数の
屈曲部分からなる変形自在部４２０、４３０が構成されている。従って、コネクター部品
支持部４０は、コネクター部品８１が固定体３０に対してコネクター８０の結合方向Ｃに
変位可能に支持された状態を確実に実現することができる。
【００３３】
また、固定体３０は、固定体３０において配線基板７０と対向する部分から配線基板７
０に向けて突出する基板受け部３７、３８、３９を備えており、かかる基板受け部３７、
３８、３９と配線基板７０との間には隙間ｄ１が空いている。従って、基板受け部３７、
３８、３９と配線基板７０との隙間ｄ１の分だけは、配線基板７０およびコネクター部品
８１を固定体３０の側に変位させることができる。また、基板受け部３７、３８、３９は
、固定体３０とコネクター部品８１との離間距離（固定体３０と配線基板７０との離間距
離）の下限を規定するため、コネクター部品支持部４０を過度に変形させてしまうことを
回避することができる。
【００３４】
また、電気光学モジュール１０は、配線基板７０を固定体３０が位置する側とは反対側
で覆うカバー６０を備えているが、カバー６０は、コネクター部品８１およびねじ５１（
コネクター位置調整部材）を露出させる開口部６０１、６０５を備えている。このため、
カバー６０を取り付けた後であっても、コネクター８０の結合およびコネクター部品８１
の位置調整を行うことができる。
【００３５】
さらに、カバー６０は、ねじ５２を露出させる開口部６０６も備えている。このため、
カバー６０を取り付けた後であっても、例えば、コネクター部品８１の位置調整を行った
後、図４（ｂ）に示すように、配線基板７０からねじ５２が浮いている場合にはねじ５２
を締めることができる。それ故、配線基板７０の浮きを防止することができる。
【００３６】
［他の実施の形態］
上記実施形態では、コネクター付き電子機器１００を構成する電気光学モジュール１０
および機器本体２０のうち、電気光学モジュール１０の側でコネクター部品８１の位置調
整を行うように構成したが、機器本体２０の側でコネクター部品８２の位置調整を行うよ
うに構成してもよい。
【００３７】
また、上記実施の形態では、電気光学モジュール１０が、電気光学パネル１１として液
晶パネルを備えている構成であったが、有機エレクトロルミネッセンス表示パネルやプラ
ズマ表示パネル等の電気光学パネル１１を備えている場合に本発明を適用してもよい。
【００３８】
さらに、上記実施の形態では、電気光学モジュール１０と機器本体２０とがコネクター
８１で電気的に接続されている構成であったが、電気光学モジュール１０以外のモジュー
ルと機器本体２０とをコネクター８０で電気的に接続する場合に本発明を適用してもよい
。
【００３９】
［電子機器への搭載例］
次に、上述した実施形態に係るコネクター付き電子機器について説明する。図５は、本
発明を適用したコネクター付き電子機器の一例を示す説明図である。図５（ａ）に示すパ
ーソナルコンピューター２０００（コネクター付き電子機器１００）は、表示ユニットと
しての電気光学モジュール１０と機器本体２０１０（機器本体２０）を備える。機器本体
２０１０には、電源スイッチ２００１およびキーボード２００２が設けられている。図５
（ｂ）に示す携帯電話機３０００（コネクター付き電子機器１００）は、複数の操作ボタ
ン３００１およびスクロールボタン３００２を備えた機器本体３０１０（機器本体２０）
と、表示ユニットとしての電気光学モジュール１０とを備えている。図５（ｃ）に示す情
報携帯端末４０００（ＰＤＡ：Personal Digital Assistants／コネクター付き電子機器
１００）は、複数の操作ボタン４００１および電源スイッチ４００２を備えた機器本体４
０１０（機器本体２０）と、表示ユニットとしての電気光学モジュール１０とを備えてい
る。
【００４０】
なお、コネクター付き電子機器１００としては、図５に示すものの他、デジタルスチー
ルカメラ、液晶テレビ、ビューファインダー型、モニター直視型のビデオテープレコーダ
ー、カーナビゲーション装置、ページャー、電子手帳、電卓、ワードプロセッサー、ワー
クステーション、テレビ電話、ＰＯＳ端末、銀行端末等の電子機器等が挙げられる。
【符号の説明】
【００４１】
１０・・電気光学モジュール、２０・・機器本体、３０・・固定体、４０・・コネクター
部品支持部、５１・・コネクター位置調整用のねじ（コネクター位置調整部材）、７０・
・配線基板（剛性基板）、８０・・コネクター、８１、８２・・コネクター部品、１００
・・コネクター付き電子機器
【図１】
2011216809.tif 000003
【図２】
2011216809.tif 000004
【図３】
2011216809.tif 000005
【図４】
2011216809.tif 000006
【図５】
2011216809.tif 000007